(57)【要約】【課題】使用者の好みに応じて簡単に作成可能なボードＢを提供する。【解決手段】基盤となるボード本体１と、このボード本体１の掲示面側に設けられる透明なシート部材２と、このシート部材２を前記ボード本体１に対して保持する保持手段３とを具備するボードＢであって、前記保持手段３が、前記ボード本体１に設けられた差込溝を有し、この差込溝に前記シート部材２の差込縁部２２を差し込ませて着脱可能に保持すると共に、この保持手段３を用いて前記シート部材２をボード本体１に取り付けた状態で両者間に掲示物Ｋを収納可能に保持する構成とした。【選択図】図２
2004309715.tif 000002
【特許請求の範囲】
【請求項１】
基盤となるボード本体と、このボード本体の掲示面側に設けられる透明なシート部材と、このシート部材を前記ボード本体に対して保持する保持手段とを具備するボードであって、
前記保持手段が、前記ボード本体に設けられた差込溝を有し、この差込溝に前記シート部材の差込縁部を差し込ませて着脱可能に保持すると共に、この保持手段を用いて前記シート部材をボード本体に取り付けた状態で両者間に掲示物を収納可能に保持していることを特徴とするボード。
【請求項２】
差込方向に対する前記差込溝の寸法が、差込方向に対する前記差込縁部の寸法の略２倍であることを特徴とする請求項１記載のボード。
【請求項３】
前記差込溝を前記ボード本体の上下左右位置に設けたことを特徴とする請求項１または２記載のボード。
【請求項４】
前記差込溝に前記シート部材の保持位置を決める位置決め手段を設けたことを特徴とする請求項１乃至３記載のボード。
【請求項５】
前記位置決め手段を前記差込溝に設けた段差部により構成していることを特徴とする請求項４記載のボード。
【請求項６】
前記ボード本体の枠体に前記差込溝を設けたことを特徴とする請求項１乃至５記載のボード。
【請求項７】
前記シート部材を前記ボード本体側に押圧する押圧部を設けたことを特徴とする請求項１乃至６記載のボード。
【請求項８】
前記シート部材のコーナー部に切欠部を設けたことを特徴とする請求項１乃至７記載のボード。
【発明の詳細な説明】
【０００１】
【発明の属する技術分野】
本発明は、利用者が独自でアレンジ可能なボードに関するものである。
【０００２】
【従来の技術】
従来、家庭やオフィス等で用途に応じて作成されるオリジナルのボードとして、ホワイトボード等と称されるものがある。この種のホワイトボードとしては、水性ペンやイレーザーなどにより書き込み及び消去可能なホウロウ製のボード本体を具備し、このボード本体に必要に応じた情報を書き込んだりしてオリジナルなボードを作成できるようにしているものが一般的である。
（例えば、特許文献１参照）
【０００３】
【特許文献１】
特開２００３−７２２８８号公報（第３頁、段落番号０００２等）
【０００４】
【発明が解決しようとする課題】
しかしながら、前記ホワイトボードでは情報を逐次筆記具等にて記載する必要があり面倒である。また、印刷可能な面を有するボード本体を具備するボードを利用して、掲示したい内容を直接ボード本体に印刷することも考えられるが、他の内容を掲示したい場合には、逐次ボード本体を取り替えなければならず大掛かりな手間がかかっていた。
【０００５】
【課題を解決するための手段】
そこで、本発明は上記課題に着目してなされたものであり、基盤となるボード本体と、このボード本体の掲示面側に設けられる透明なシート部材と、このシート部材を前記ボード本体に対して保持する保持手段とを具備するボードであって、前記保持手段が、前記ボード本体に設けられた差込溝を有し、この差込溝に前記シート部材の差込縁部を差し込ませて着脱可能に保持すると共に、この保持手段を用いて前記シート部材をボード本体に取り付けた状態で両者間に掲示物を収納可能に保持していることを特徴とする。
【０００６】
このような構成のものであると、前記掲示物を前記シート部材とボード本体間に収納するだけで簡単にオリジナルボードを作成することができる。従って、例えばパーソナルコンピュータなどで作成して印刷した表などを収納し、間単にオリジナルボードを作成することも可能である。しかも、シート部材を前記差込溝へ差し込むことにより着脱可能に保持しているため、例えばボードを壁面などに取り付けたまま、ボードの前面側から容易に掲示物を入れ替えることができる。更には、透明なシート部材の上から適時追加情報等を書き込むこともでき、使用用途が飛躍的に向上する。
【０００７】
また、けんどん方式により容易にシート部材を取付可能とするためには、差込方向に対する前記差込溝の寸法を、差込方向に対する前記差込縁部の寸法の略２倍に設定することが望ましい。
【０００８】
更に、前記差込溝を前記ボード本体の上下左右位置に設けることで、シート部材の差込方向の自由度を増すことができると共に、例えば全ての差込溝に差し込んだ際にはしっかりとシート部材をボード本体に対して保持させることが可能となる。
【０００９】
加えて、適切な位置にシート部材を保持させるためには、前記差込溝に前記シート部材の保持位置を決める位置決め手段を設けることが望ましい。具体的には、前記位置決め手段を前記差込溝に設けた段差部により構成することが考えられる。
【００１０】
また、前記ボード本体の枠体に前記差込溝を設けることで、差込溝を作るための余分な部材を必要とせず簡易な構成にてボードを製造することができる。
【００１１】
更に、より強固にシート部材を保持するためには、前記シート部材を前記ボード本体側に押圧する押圧部を設けることが望ましい。
【００１２】
加えて、前記シート部材のコーナー部に切欠部を設けることで、差込溝を設けにくいコーナー部に差込み溝を設けない構成とすることもできる。
【００１３】
【発明の実施の形態】
以下、本発明の一実施の形態を、図面を参照して説明する。
【００１４】
図１は、本実施形態のボードＢを示す斜視図であり、図２は、前記ボードＢの分解斜視図を表している。
【００１５】
本実施形態におけるボードＢは、図２に示すように、基盤となるボード本体１と、このボード本体１の掲示面側に設けられる透明なシート部材２と、このシート部材２を前記ボード本体１に対して着脱可能に保持する保持手段３とを具備している。そして、前記シート部材２を前記ボード本体１に対して取り付けた状態で両者間に自らパーソナルコンピュータ等により作成した表などを印刷した掲示物Ｋを収納すると共に、この掲示物Ｋの表面側に位置する前記シート部材２の上から水性ペンなどにより追加情報を記入して、簡易にオリジナルボードを作成可能としたものである。
【００１６】
以下、各構成について詳述する。
【００１７】
ボード本体１は、図２、図３に示すように、平面視矩形形状を成すものであり、基板となる面板１１とこの面板１１の周縁に嵌合させて取り付けられた枠体１２とから構成されている。
【００１８】
面板１１は、図７に示すように、平板状の段ボールやコルクボードやポリプロピレンのボード等により構成した基台層１１ｂと、この基台層１１ｂの表面に貼り付けられた平滑な薄板状の鉄板により構成した表面層１１ａとからなる二層構造を有しており、図１０に示すように、この鉄板により表面にマグネットＭ等を磁着可能な磁着面を形成している。
【００１９】
枠体１２は、図３に示すように、前記面板１１の左右側縁部に嵌合される左右一対の縦フレーム１２１ａ、１２１ｂと、前記面板１１の上下縁部に嵌合される上下一対の横フレーム１２２ａ、１２２ｂと、この縦フレーム１２１ａ、１２１ｂ及び横フレーム１２２ａ、１２２ｂを連結するコーナー部材１２３とを具備している。
【００２０】
また、前記縦フレーム１２１ａ、１２１ｂの長手寸法は、前記面板１１の縦幅寸法と略同様であり、横フレーム１２２ａ、１２２ｂの長手寸法は、前記面板１１の横幅寸法と略同様である。ここで、両者はその長さ寸法が異なるのみであるため、以下縦フレーム１２１ａ、１２１ｂを例にとって説明する。
【００２１】
この縦フレーム１２１ａ、１２１ｂは、図７に示すように、側断面略コの字形状を成すものであり、その内側に前記面板１１の縁部を挟みこむ取付部１２４を設けている。また、図７の想像線にて表したように、この縦フレーム１２１ａ、１２１ｂはシート部材２と当接する表側片部１２５を面板１１側に湾曲させた形状を成すように押出成型されたもので、弾性を有する合成樹脂にて形成されている。
【００２２】
コーナー部材１２３は、前記縦フレーム１２１ａ、１２１ｂ及び横フレーム１２２ａ、１２２ｂを外側から挟みこんで両者を連結するもので、その二面にフレーム取付部１２３ａを開口して前記縦フレーム１２１ａ、１２１ｂ及び横フレーム１２２ａ、１２２ｂを直交させた状態で連結するものである。
【００２３】
シート部材２は、ポリエステル系樹脂等を素材とする可撓性を備えた略均等厚の無色透明シートであり、このシート部材２を通してその表面側から裏面側に設けた掲示物Ｋを視認可能に構成されている。
【００２４】
その表面は、平滑な面にて構成されており水性ペン等により記入可能な記入領域２１を具備している。尚、イレーザー等により記入した情報を簡単に消去可能な素材にて構成されている。また、図４に示すように、四隅のコーナー部には、隣接する二辺に跨って切り欠いた切欠部２３が形成され、更にその左右上下縁部には、前記枠体１２に設けた差込溝３１、３２に差し込まれる差込縁部２２を有している。尚、このシート部材２の縦幅寸法は、ボード本体１に取り付けた状態でシート部材２がボード本体１の表面に表出する寸法、つまり上下横フレーム１２２ａ、１２２ｂの内側端距離寸法に、シート部材２の上下に設けた前記差込縁部２２の寸法Ａを足した寸法Ｌ１＋２Ａを有している。また同様に、このシート部材２の横幅寸法は、ボード本体１に取り付けた状態でシート部材２がボード本体１の表面に表出する寸法、つまり左右縦フレーム１２１ａ、１２１ｂの内側端距離寸法に、シート部材２の左右に設けた前記差込縁部２２の寸法Ａを足した寸法Ｌ２＋２Ａを有している。
【００２５】
このシート部材２を前記ボード本体１に保持する保持手段３は、前記ボード本体１に設けられた差込溝３１、３２を具備し、けんどん方式によりこの差込溝３１、３２に前記シート部材２の差込縁部２２を差し込ませて着脱可能に保持するものである。加えて、本実施形態においては、前記シート部材２をボード本体１に対して適切な位置に位置決めする位置決め手段４を備えると共に、前記シート部材２を前記ボード本体１側に押圧する押圧部５を具備しシート部材２をボード本体１に近接させて保持している。
【００２６】
前記差込溝３１、３２は、前記ボード本体１の上下左右に位置するものであり、枠体１２を構成する縦フレーム１２１ａ、１２１ｂ及び横フレーム１２２ａ、１２２ｂに設けられている。
【００２７】
具体的には、図７に示すように、この各フレーム１２１ａ、１２１ｂ、１２２ａ、１２２ｂの内側には、前記シート部材２の差込方向に対する寸法が異なる第１の差込溝３１と第２の差込溝３２とが形成されている。
【００２８】
第１の差込溝３１は、前記シート部材１を取り付ける際に利用されるものであり、前記シート部材２の差込方向に対する寸法２Ａが、差込方向に対する前記差込縁部２２の寸法Ａの略２倍に設定されている。また、その厚み寸法を前記シート部材２と略同様の寸法としているものである。
【００２９】
第２の差込溝３２は、この第１の差込溝３１の上部に連通して形成された溝であって、前記シート部材２の差込方向に対する寸法が、差込方向に対する前記差込縁部２２の寸法Ａと略同様に設定されている。
【００３０】
位置決め手段４は、この第１の差込溝３１と第２の差込溝３２との段差部により構成されており、この段差部にシート部材２の端部を当接させて位置決めを実現している。尚、前記段差部は、前記シート部材２の厚み寸法と略同様の段差を有している。
【００３１】
押圧部５は、前記シート部材２を保持する縦フレーム１２１ａ、１２１ｂ及び横フレーム１２２ａ、１２２ｂの弾性を利用して構成されているもので、前記表側片部１２５の下面により当該シート部材２をボード本体１の面板１１に向けて押圧する。
【００３２】
ここで、掲示物Ｋとしては、例えばパーソナルコンピュータなどで作成した表などを印刷した用紙などが考えられる。
【００３３】
次に、掲示物Ｋを挟みこみオリジナルボードＢを作成する工程について説明する。
【００３４】
まず、ボード本体１の掲示面側に表などを印刷した掲示物Ｋを位置させた状態でこの掲示物Ｋの表面側からシート部材２をけんどん方式でボード本体１に取り付ける。具体的には、図８に示すように、上横フレーム１２２ａ及び左縦フレーム１２１ａを表面側に弾性変形させて差込溝３１、３２の挿入口を広げ、この上横フレーム１２２ａ及び左縦フレーム１２１ａに設けた第１の差込溝３１の奥までシート部材２の上縁部及び左側縁部を差し込む。その後当該シート部材２を右下方へ落とし込んで下横フレーム１２２ｂ及び右縦フレーム１２１ｂの第２の差し込み溝３２にシート部材２の下縁部及び右側縁部を差し込む。
【００３５】
そして、図９に示すように、前記第１の差込溝３１と第２の差込溝３２との段差部にシート部材２の端部を当接させて位置決めし、シート部材２の差込縁部２２を第２の差込溝３２に差し込むと同時に押圧部５によりシート部材２を面板１１側に押圧して保持する。尚、前記保持手段３を用いて前記シート部材２をボード本体１に取り付けた状態で掲示物Ｋは、その表面をシート部材２の裏面に略密着させた状態で両者間に挟持されている。
【００３６】
以上のような構成のものであると、前記掲示物Ｋを前記シート部材２とボード本体１間に収納するだけで簡単にオリジナルボードＢを作成することができる。従って、例えばパーソナルコンピュータなどで作成して印刷した表などを収納し、間単にオリジナルボードＢを作成することも可能である。しかも、シート部材２を前記差込溝へ差し込むことにより着脱可能に保持しているため、例えばボードＢを壁面などに取り付けたまま、ボードＢの前面側から容易に掲示物Ｋを入れ替えることができる。更には、透明なシート部材２の上から適時追加情報等を書き込むこともでき、使用用途が飛躍的に向上する。
【００３７】
また、差込方向に対する前記差込溝の寸法を、差込方向に対する前記差込縁部２２の寸法の略２倍に設定しているため、けんどん方式により容易にシート部材２を取付することができる。
【００３８】
更に、前記差込溝を前記ボード本体１の上下左右位置に設けているため、シート部材２の差込方向の自由度を増すことができると共に、例えば全ての差込溝に差し込んだ際にはしっかりとシート部材２をボード本体１に対して保持させることが可能となる。
【００３９】
加えて、前記差込溝に前記シート部材２の保持位置を決める位置決め手段４を設けることで、適切な位置にシート部材２を保持させることができる。しかも、前記位置決め手段４を前記差込溝に設けた段差部により構成しているため、簡易な構成にて実現できる。
【００４０】
また、前記ボード本体１の枠体１２に前記差込溝を設けることで、差込溝を作るための余分な部材を必要とせず簡易な構成にてボードＢを製造することができる。
【００４１】
更に、前記シート部材２を前記ボード本体１側に押圧する押圧部５を設けているため、より強固にシート部材２を保持することが可能となる。
【００４２】
加えて、前記シート部材２の裏面側に位置する磁着面を前記ボード本体１に設けることで、マグネット等を貼り付けられるようにしてボードＢの使用態様を広げることが可能となる。
【００４３】
また、前記シート部材２のコーナー部に切欠部２３を設けることで、差込溝を設けにくいコーナー部に差込み溝を設けない構成とすることもできる。
【００４４】
なお、本発明における構成は、以上説明したものに限定されないのは勿論である。例えば、本実施の形態においては、ボード本体１の上下左右に差込溝３１、３２を設けているが、上下一対や左右一対など任意の組み合わせにて差込溝３１、３２を設けても良い。また、本実施形態のシート部材２は、無色透明にて構成しているが、このシート部材２を通して掲示物Ｋが視認可能なものであれば有色透明なものとすることも考えられる。更に、掲示物Ｋとしては印刷物に拘らず写真等であっても良い。また、図１０に示すように、サッカーのコートなどを印刷した掲示物Ｋを前記ボード本体１とシート部材２との間に挟みこみ、マグネットＭを選手にみたててボードＢに磁着させてオリジナルボードを作成し、例えばサッカー作戦用ボードとして利用することも考えられる。その他の構成も本発明の趣旨を逸脱しない範囲で種々変形が可能である。
【００４５】
【発明の効果】
本発明は、以上説明したような構成とすることで、前記掲示物を前記シート部材とボード本体間に収納するだけで簡単にオリジナルボードを作成することができる。従って、例えばパーソナルコンピュータなどで作成して印刷した表などを収納し、間単にオリジナルボードを作成することも可能である。しかも、シート部材を前記差込溝へ差し込むことにより着脱可能に保持しているため、例えばボードを壁面などに取り付けたまま、ボードの前面側から容易に掲示物を入れ替えることができる。更には、透明なシート部材の上から適時追加情報等を書き込むこともでき、使用用途が飛躍的に向上する。
【図面の簡単な説明】
【図１】本実施の形態におけるボードを示す斜視図。
【図２】同実施形態におけるボードを示す分解斜視図。
【図３】同実施形態におけるボード本体を示す正面図。
【図４】同実施形態におけるシート部材を示す正面図。
【図５】同実施形態における掲示物を示す正面図。
【図６】同実施形態におけるボードを示す正面図。
【図７】同実施形態におけるＡ−Ａ線部分拡大図。
【図８】同実施形態におけるＡ−Ａ線部分拡大図。
【図９】同実施形態におけるＡ−Ａ線部分拡大図。
【図１０】他の実施形態におけるボードの正面図。
【符号の説明】
Ｂ・・・ボード
Ｋ・・・掲示物
１・・・ボード本体
２・・・シート部材
３・・・保持手段
４・・・位置決め手段
５・・・押圧部
１２・・・枠体
２２・・・差込縁部
２３・・・切欠部
３１・・・差込溝（第１の差込溝）
３２・・・差込溝（第２の差込溝）
【図１】
2004309715.tif 000003
【図２】
2004309715.tif 000004
【図３】
2004309715.tif 000005
【図４】
2004309715.tif 000006
【図５】
2004309715.tif 000007
【図６】
2004309715.tif 000008
【図７】
2004309715.tif 000009
【図８】
2004309715.tif 000010
【図９】
2004309715.tif 000011
【図１０】
2004309715.tif 000012